(57)【要約】【課題】動画再生のための位相変調データの作成において演算量を大幅に削減して処理の高速化を図る計算機ホログラムのデータ作成装置およびそのデータ作成方法を提供する。【解決手段】本実施形態に係る計算機ホログラムのデータ作成装置は、原画像データを動オブジェクトのサンプリングデータと背景のサンプリングデータに分離するデータ分離部と、周波数領域における背景の位相変調データを作成する背景位相変調データ作成部と、動オブジェクトのシルエット領域をフレームごとに抽出するシルエット領域抽出部と、シルエット領域におけるサンプリングデータを背景シルエットデータとして抽出する背景シルエットデータ抽出部と、動オブジェクトのサンプリングデータから背景シルエットデータを差し引いて動オブジェクトの空間領域差分データを作成し、その動オブジェクト周波数領域差分データを作成する動オブジェクト位相変調データ作成部と、を備える。【選択図】  図２
2014215547.tif 000002
【特許請求の範囲】
【請求項１】
原画像データを動オブジェクトのサンプリングデータと背景のサンプリングデータに分離して、それぞれのサンプリングデータを取得するデータ分離部と、
前記背景のサンプリングデータに基づいて、周波数領域において振幅を所定の値に置き換えた背景の位相変調データを作成する背景位相変調データ作成部と、
前記動オブジェクトのサンプリングデータに基づいて、前記動オブジェクトの輪郭で囲まれた内側の領域を示すシルエット領域をフレームごとに抽出するシルエット領域抽出部と、
前記シルエット領域における前記背景のサンプリングデータを背景シルエットデータとして抽出する背景シルエットデータ抽出部と、
前記動オブジェクトのサンプリングデータから、前記背景シルエットデータを差し引いて動オブジェクトの空間領域差分データを作成し、前記空間領域差分データに対応する周波数領域のデータの振幅を所定の値に置き換えて動オブジェクト周波数領域差分データを作成する動オブジェクト位相変調データ作成部と、
を備える計算機ホログラムのデータ作成装置。
【請求項２】
前記動オブジェクト位相変調データ作成部は、
前記動オブジェクトのサンプリングデータから前記背景シルエットデータを差し引くことにより、前記動オブジェクトが前記背景の前景となるように前記動オブジェクト周波数領域差分データを作成する
請求項１に記載の計算機ホログラムのデータ作成装置。
【請求項３】
前記動オブジェクト周波数領域差分データを、前記背景の位相変調データと同一の画素数の位相変調データに補間する位相空間補間部と、
をさらに備える請求項１または２に記載の計算機ホログラムのデータ作成装置。
【請求項４】
前記動オブジェクトのサンプリングデータは、
ｎ×ｍの画素数として２のべき乗で構成される
請求項１から３のいずれか１項に記載の計算機ホログラムのデータ作成装置。
【請求項５】
前記原画像データの画素数は、
前記ｎ×ｍの画素数で構成される前記動オブジェクトの画素数より、１より大きな正の整数倍で構成される
請求項４に記載の計算機ホログラムのデータ作成装置。
【請求項６】
作成した前記背景の位相変調データおよび補間された前記動オブジェクトの周波数領域差分データのいずれかに対して位相を付加し、空間領域における表示位置を調整する表示位置調整部を
さらに備える請求項１から５のいずれか１項に記載の計算機ホログラムのデータ作成装置。
【請求項７】
作成した前記背景の位相変調データと補間された前記動オブジェクトの周波数領域差分データにより、周波数領域において光の位相を変調させる空間光変調器を
さらに備える請求項１から６のいずれか１項に記載の計算機ホログラムのデータ作成装置。
【請求項８】
原画像データを動オブジェクトのサンプリングデータと背景のサンプリングデータに分離して、それぞれのサンプリングデータを取得するデータ分離ステップと、
前記背景のサンプリングデータに基づいて、周波数領域において振幅を所定の値に置き換えた背景の位相変調データを作成する背景位相変調データ作成ステップと、
前記動オブジェクトのサンプリングデータに基づいて、前記動オブジェクトの輪郭で囲まれた内側の領域を示すシルエット領域をフレームごとに抽出するシルエット領域抽出ステップと、
前記シルエット領域における前記背景のサンプリングデータを背景シルエットデータとして抽出する背景シルエットデータ抽出ステップと、
前記動オブジェクトのサンプリングデータから、前記背景シルエットデータを差し引いて動オブジェクトの空間領域差分データを作成し、前記空間領域差分データに対応する周波数領域のデータの振幅を所定の値に置き換えて動オブジェクト周波数領域差分データを作成する動オブジェクト位相変調データ作成ステップと、
を含む計算機ホログラムのデータ作成装置におけるデータ作成方法。
【発明の詳細な説明】
【技術分野】
【０００１】
本実施形態は、計算機ホログラムのデータ作成装置及びそのデータ作成方法に関する。
【背景技術】
【０００２】
現在、物体光と参照光の干渉の結果として生じる干渉縞を記録したものが、ホログラムとして知られている。この干渉縞は、計算によって求めることができ、計算機と干渉縞を表示する表示装置を有すれば、ホログラムを合成することができる。そして、このようなホログラムは、計算機ホログラム（Computer Generated Hologram:ＣＧＨ）と呼ばれている。
【０００３】
この計算機ホログラムの特長は、記録のための物体が存在しなくてよいことである。また、この計算機ホログラムでは、架空の物体の三次元像を得ることができる。このような計算機ホログラムの技術は、干渉計測、光情報処理、セキュリティなどの応用分野において重要な位置を占めている。
【０００４】
そして、計算機ホログラムのうちフーリエ変換ホログラムは、周波数領域で定義されたホログラムに平行レーザ光を照射し、レンズを介して光学的にフーリエ変換することにより空間領域で物体画像を再生する。このようなフーリエ変換ホログラムでは、高速フーリエ変換（Fast Fourier Transform：ＦＦＴ）を用いて物体の元画像データからホログラムデータを求めることができる。
【０００５】
しかしながら、フーリエ変換ホログラムでは、振幅と位相を同時に変調できる空間光変調器（Spatial Light Modulator：ＳＬＭ）の実現が困難なため、振幅または位相を変調するＳＬＭが用いられる。また、振幅変調型が低効率であるのに対し位相変調型は高効率であり、特に多値で位相変調する位相変調型のＳＬＭを用いることにより、原理的（理論的）には回折効率が１００％になり得ることが知られている。なお、この回折効率とは、ホログラムに入射する再生照明光の強度（Ｉ０）に対する１次回折光強度（Ｉ１）の比（Ｉ１／Ｉ０）として定義されるものである。
【０００６】
しかしながら、位相変調型のＳＬＭでは、本来振幅と位相で表される情報を位相のみで近似することになる。また、位相変調型ホログラムデータのデータ作成は非線形な処理が必要であるため、位相変調型のＳＬＭでは解析的に最良解を得ることができなかった。
【０００７】
従来、この種の位相変調型の計算機ホログラムの作成方法として、フーリエ変換と逆フーリエ変換とを繰り返し、目標精度（誤差）を実現する計算機ホログラムの作成方法が開示されている（例えば、特許文献１参照）。
【先行技術文献】
【特許文献】
【０００８】
【特許文献１】特開２０１０−５２１００４号公報
【発明の概要】
【発明が解決しようとする課題】
【０００９】
しかしながら、このような高精度な位相変調型の計算機ホログラムの最適化されたデータの作成処理では、フーリエ変換と逆フーリエ変換を繰り返して演算を行う必要があり、演算量が膨大となっていた。
【００１０】
具体的には例えば、位相変調型フーリエ変換ホログラムの最適化処理として、反復フーリエ変換法やシミュレーティド・アニーリング法などの手法が知られている。これらは、非線形な反復処理によって位相変調の精度を高め最適化を図る手法であるため、例えば、１０回以上、場合によっては数１００回もの反復処理を必要とするものであり、その演算量は、画素数に比例して増加するものであった。
【００１１】
特に、動画を再生する場合には、フレーム間隔時間内に位相変調データを作成する必要が生じる。そのため、フレーム間隔時間内に位相変調データを生成する極めて高速で演算することができる演算装置が必要とされていた。
【課題を解決するための手段】
【００１２】
本実施の形態に係る計算機ホログラムのデータ作成装置は、原画像データを動オブジェクトのサンプリングデータと背景のサンプリングデータに分離して、それぞれのサンプリングデータを取得するデータ分離部と、前記背景のサンプリングデータに基づいて、周波数領域において振幅を所定の値に置き換えた背景の位相変調データを作成する背景位相変調データ作成部と、前記動オブジェクトのサンプリングデータに基づいて、前記動オブジェクトの輪郭で囲まれた内側の領域を示すシルエット領域をフレームごとに抽出するシルエット領域抽出部と、前記シルエット領域における前記背景のサンプリングデータを背景シルエットデータとして抽出する背景シルエットデータ抽出部と、前記動オブジェクトのサンプリングデータから、前記背景シルエットデータを差し引いて動オブジェクトの空間領域差分データを作成し、前記空間領域差分データに対応する周波数領域のデータの振幅を所定の値に置き換えて動オブジェクト周波数領域差分データを作成する動オブジェクト位相変調データ作成部と、を備える。
【図面の簡単な説明】
【００１３】
【図１】位相変調型フーリエ変換ホログラフィの再生装置の一例を示す説明図。
【図２】本実施形態に係る位相変調型計算機ホログラムのデータ作成装置の一例を示す全体構成図。
【図３】本実施形態に係るデータ作成装置が備える記憶媒体に記憶されている原画像データの一例を示した説明図。
【図４】本実施形態に係るデータ作成装置のデータ分離部が、原画像データを、動オブジェクトのサンプリングデータと背景のサンプリングデータとに分離した状態を示す説明図。
【図５】本実施形態に係るシルエット領域抽出部が、動オブジェクトのサンプリングデータに基づいて、動オブジェクトのシルエット領域を抽出した一例を示す概略図。
【図６】本実施形態に係る計算機ホログラムのデータ作成装置が、原画像データに対して高速フーリエ変換などを行って、動画を再生するための位相変調データを作成する動画位相変調データ作成処理の手順と、動画の再生処理を示したフローチャート。
【図７】位相変調型空間光変調器が駆動する、Ｎ×Ｍの画素数で構成された背景用の画素領域とＮ×Ｍの画素数で構成された動オブジェクト用の画素領域とを示した説明図。
【図８】本実施形態に係るデータ作成装置の背景位相変調データ作成部が、背景のサンプリングデータに対して高速フーリエ変換などを行って、背景の位相変調データを作成する背景位相変調データ作成処理の手順を示したフローチャート。
【図９】本実施形態に係るデータ作成装置の動オブジェクト位相変調データ作成部が、動オブジェクトのサンプリングデータに対して高速フーリエ変換などを行って、動オブジェクトの位相変調データを作成する動オブジェクト位相変調データ作成処理の手順を示したフローチャート。
【発明を実施するための形態】
【００１４】
本実施形態に係る計算機ホログラムのデータ作成装置は、動画を再生するための位相変調型ホログラムデータ（キノフォームとも呼ばれる。）を作成する際に、高速フーリエ変換（Fast Fourier Transform：ＦＦＴ）および逆高速フーリエ変換（Inverse Fast Fourier Transform：ＩＦＦＴ）を反復する際の演算量を削減（減少）させるためのものである。
【００１５】
図１は、位相変調型フーリエ変換ホログラフィの再生装置４００の一例を示す説明図である。
【００１６】
図１に示すように、位相変調型フーリエ変換ホログラフィの再生装置４００は、コヒーレント光源３００、位相変調型空間光変調器３１０、フーリエ変換光学レンズ３２０、焦点面３３０およびデータ作成装置１００などを備えて構成されている。また、コヒーレント光源３００は、レーザ３０１および光学レンズ３０２などを備えて構成されている。
【００１７】
光学レンズ３０２は、レーザ３０１から照射された光が位相変調型空間光変調器３１０に対して平面波光となるように、投影の品質を改善するための光学素子である。
【００１８】
コヒーレント光源３００は、レーザ３０１と光学レンズ３０２を備えることにより位相変調型空間光変調器３１０に対して平行光を照射するようになっている。
【００１９】
位相変調型空間光変調器３１０は、位相の揃った平面波光に周波数領域で位相変調を行う。
【００２０】
フーリエ変換光学レンズ３２０は、周波数領域から空間領域へフーリエ変換を光学的に行い、焦点面３３０に空間領域の再生像を生成する。
【００２１】
データ作成装置１００は、情報処理を行う情報処理装置やパーソナルコンピュータなどによって構成され、位相変調型空間光変調器３１０において平面波光に周波数領域で位相変調を行うための位相変調型ホログラムデータ（以下、これを単に位相変調データと呼ぶ。）を作成する。データ作成装置１００は、位相変調データを作成すると、その作成した位相変調データを位相変調型空間光変調器３１０に送出するようになっている。
【００２２】
続いて、本実施形態に係る計算機ホログラムのデータ作成装置１００により動画を再生するための位相変調データの作成処理について、説明する。
【００２３】
本実施形態に係る計算機ホログラムのデータ作成装置１００は、動画を構成する原画像データを、動オブジェクトのサンプリングデータと背景のサンプリングデータに分離して、その分離したそれぞれのサンプリングデータに対し位相変調データを作成する。そして、データ作成装置１００は、動オブジェクトの位相変調データと背景の位相変調データとを位相変調型空間光変調器３１０に駆動させる。
【００２４】
ここで、背景の位相変調データは、一度作成されるとその位相変調データを複数のフレームにおいてそのまま継続して使用することができるが、動オブジェクトの位相変調データは、動画であるため、フレーム毎に作成する必要がある。
【００２５】
そのため、本実施形態に係るデータ作成装置１００は、原画像データを動オブジェクトのサンプリングデータと背景のサンプリングデータとに分離して、反復フーリエ変換法によってそれぞれの位相変調データを作成する。そして、背景の位相変調データを一度作成すれば動オブジェクトの位相変調データのみフレーム毎に作成すればよく、原画像データに対してそのまま反復フーリエ変換法を適用した場合に比べて、動オブジェクトのみ位相変調データをフレーム毎に作成する演算量に削減（低減）することができる。
【００２６】
以下、本実施形態に係る計算機ホログラムのデータ作成装置１００について、添付図面を参照して説明する。
【００２７】
図２は、本実施形態に係る位相変調型計算機ホログラムのデータ作成装置１００の一例を示す全体構成図である。
【００２８】
図２に示すように、計算機ホログラムのデータ作成装置１００は、データ分離部１１０、背景位相変調データ作成部１２０、シルエット領域抽出部１３０、背景シルエットデータ抽出部１３５、動オブジェクト位相変調データ作成部１４０および位相空間補間部１５０を備えて構成されている。
【００２９】
なお、データ作成装置１００は、図２に示すように表示位置調整部１６０を含む構成としてもよく、さらに位相変調型空間光変調器３１０を含む構成としてもよい。
【００３０】
データ分離部１１０は、原画像データを動オブジェクトのデータと背景のデータに分離して、それぞれのサンプリングデータを取得する機能を有している。分離する方法は、例えば、背景差分法などの公知の方法を適用することができる。ここで、データ分離部１１０が原画像データを分離する分離方法について、図面を用いて説明する。
【００３１】
図３は、本実施形態に係るデータ作成装置１００が備える記憶媒体に記憶されている原画像データＰの一例を示した説明図である。
【００３２】
図３に示すように、原画像データＰは、動画を再生する画像データとしてメータを例示しており、例えば、メータの針に相当する動オブジェクトのサンプリングデータａと背景のサンプリングデータｂとから構成されている。また、原画像データＰは、Ｎ×Ｍの画素数で構成されているものとする。
【００３３】
図４は、本実施形態に係るデータ作成装置１００のデータ分離部１１０が、原画像データＰを、動オブジェクトのサンプリングデータと背景のサンプリングデータとに分離した状態を示す説明図である。
【００３４】
図４に示すように、本実施形態に係るデータ作成装置１００のデータ分離部１１０は、Ｎ×Ｍの画素数で構成された原画像データＰを、例えば、（Ｎ／２）×（Ｍ／２）の画素数（ｎ×ｍの画素数）で構成された動オブジェクトのサンプリングデータａ（図４（Ａ）参照）と、Ｎ×Ｍの画素数で構成された背景のサンプリングデータｂ（図４（Ｂ）参照）とに分離する。
【００３５】
この場合、動オブジェクトのサンプリングデータａの画素数（（Ｎ／２）×（Ｍ／２）の画素数）は、背景のサンプリングデータｂの画素数の１／４となる。また、位相変調データを生成する際の演算量は画素数にほぼ比例するので、データ作成装置１００は、背景のサンプリングデータｂが既知の画像データであると仮定すると、背景のサンプリングデータｂの位相変調データを予め作成する一方、動オブジェクトのみの位相変調データをフレーム毎に作成することにより、原画像データＰ全体の演算量をほぼ１／４に削減することができる。
【００３６】
そこで、本実施形態では、背景のサンプリングデータｂは既知の画像データであることを前提とし、動オブジェクトのサンプリングデータａを原画像データＰから分離しても、背景のサンプリングデータｂは、動オブジェクトのサンプリングａの分離による欠損を生じることはない。そのため、データ分離部１１０は、動オブジェクトのサンプリングデータａと空間的に重複する位置にある背景のサンプリングデータも取得することができる。
【００３７】
すなわち、データ分離部１１０は、図４に示すように、（Ｎ／２）×（Ｍ／２）の画素数で構成された動オブジェクトのサンプリングデータａ（図４（Ａ）参照）と、Ｎ×Ｍの画素数で構成された背景のサンプリングデータｂ（図４（Ｂ）参照）とに分離した場合であっても、背景のサンプリングデータｂを欠損させることなく抽出することができる。
【００３８】
なお、動オブジェクトのサンプリングデータａは、（Ｎ／２）×（Ｍ／２）の画素数で構成されているが、これに限定されるものではない。具体的には、動オブジェクトのサンプリングデータａは、ｎ×ｍの画素数として２のべき乗で表される整数であって、Ｎ×Ｍの画素数は、ｎ×ｍの画素数に対して、１より大きな正の整数倍とする。
【００３９】
また、データ分離部１１０は、例えば、データ作成装置１００が備える所定の記憶媒体に記憶されている原画像データを分離してもよく、または、データ作成装置１００の外部から原画像データを取得して分離する形態であってもよい。
【００４０】
背景位相変調データ作成部１２０は、データ分離部１１０が分離した背景のサンプリングデータに基づいて、周波数領域における振幅を所定の値に置き換えた背景の位相変調データを作成する機能を有している。具体的には、Ｎ×Ｍの画素数で構成された背景のサンプリングデータｂ（図４（Ｂ））に基づいて、周波数領域における背景の位相変調データを作成する。なお、この位相変調データを作成する方法は、背景位相変調データ作成処理として、後述する。
【００４１】
シルエット領域抽出部１３０は、動オブジェクトのシルエットが示すシルエット領域（動オブジェクトの輪郭で囲まれた内側の領域のことをシルエット領域という。）をフレームごとに抽出する機能を有している。
【００４２】
図５は、本実施形態に係るシルエット領域抽出部１３０が、動オブジェクトのサンプリングデータに基づいて、動オブジェクトのシルエット領域Ｑを抽出した一例を示す概略図である。
【００４３】
図５に示すように、シルエット領域抽出部１３０は、動オブジェクトのサンプリングデータａ（図４（Ａ）参照）の存在する領域をシルエット領域Ｑとして抽出する。
【００４４】
シルエット領域抽出部１３０は、動オブジェクトのサンプリングデータａに基づいて、フレーム単位でシルエット領域Ｑを抽出する。
【００４５】
背景シルエットデータ抽出部１３５は、シルエット領域抽出部１３０で抽出したシルエット領域Ｑにおける背景のサンプリングデータ（以下、これを背景シルエットデータという。）ｃを抽出する機能を有している。具体的には、背景シルエットデータ抽出部１３５は、位相変調データ作成部１２０の背景記憶部Ａ１８０に記憶されている背景のシルエット用サンプリングデータ（背景のサンプリングデータの空間領域複素数データ）ｂｄを取得して、シルエット領域Ｑにおける背景シルエットデータｃを抽出する。
【００４６】
例えば、図４（Ｂ）を用いて説明すると、背景シルエットデータｃを抽出する際の概略は、背景のサンプリングデータｂを背景のシルエット用サンプリングデータｂｄと見立てて、背景シルエットデータ抽出部１３５が、シルエット用サンプリングデータｂｄからシルエット領域Ｑにおける背景シルエットデータｃを抽出する。
【００４７】
ここで、この背景シルエットデータｃは、動オブジェクトのサンプリングデータａと背景のシルエット用サンプリングデータｂｄとが重なる重畳領域Ｒに属する背景のサンプリングデータのことである。この背景シルエットデータｃを抽出する理由は、原画像データＰを再生するときに、動オブジェクトの位相変調データと背景の位相変調データとが重畳されると、重なる部分の色が合成色として再生されるからである。
【００４８】
ここで、動オブジェクトと背景は、それぞれ固有の色（画素値）を有している。例えば、動オブジェクトが黄色で構成され、背景は、外円が緑色、内円が水色で構成されている場合、すなわち、動オブジェクトのサンプリングデータａが黄色の画素値を有する一方、背景のシルエット用サンプリングデータｂｄが、緑色と水色の画素値とを有している場合について考える。
【００４９】
この場合に、図４に示した動オブジェクトと背景とを重畳再生すると、動オブジェクトのサンプリングデータａと背景のシルエット用サンプリングデータｂｄはそれぞれ画素値を有するので、シルエット領域Ｑにおいては、これらが合成された色が再生されることになる。このため、図３に示した原画像データＰに含まれる動オブジェクトは、両方のサンプリングデータの画素値が合成されるので、本来の動オブジェクトが有する黄色を再生することができなくなる。
【００５０】
そこで、動オブジェクトが背景と重畳再生されても、動オブジェクトのサンプリングデータａの画素値が変わらないようにするために、動オブジェクトのサンプリングデータａと背景のシルエット用サンプリングデータｂｄに基づいて、動オブジェクトが前景となるようにシルエット領域Ｑにおける背景シルエットデータｃを抽出する。
【００５１】
動オブジェクト位相変調データ作成部１４０は、動オブジェクトのサンプリングデータから、抽出した背景シルエットデータｃを動空間領域条件設定部１４２の出力から加算器１４７−２で差し引くとともに、動空間領域条件設定部１４２の入力に加算器１４７−１で加算する。
【００５２】
位相空間補間部１５０は、作成した動オブジェクト周波数領域差分データを、背景の位相変調データと同一の画素数の位相変調データに補間する機能を有している。なお、位相空間補間部１５０は、位相変調型空間光変調器３１０で駆動する画素領域において、背景の位相変調データと動オブジェクトの位相変調データとを同一の画素数となるように補間するためのものであり、必須の構成要素ではない。すなわち、動オブジェクト周波数領域差分データと背景の位相変調データの画素数が異なる場合であっても、これらを駆動することができる位相変調型空間光変調器が存在する場合には、位相空間補間部１５０は設ける必要はない。
【００５３】
表示位置調整部１６０は、作成した背景の位相変調データおよび補間された動オブジェクトの位相変調データのいずれかに対して位相を付加して、空間領域における表示位置を調整する機能を有している。
【００５４】
位相変調型空間光変調器３１０は、コヒーレントな平面波光が入力され、画素単位で位相を変化させ、光の空間的な位相分布を制御する機能を有している。表示位置調整部１６０から出力される出力データ（位相変調データ）により、位相変調型空間光変調器３１０は、コヒーレントな光の平面波に光の空間的な位相分布を与える。
【００５５】
次に、データ作成装置１００の背景位相変調データ作成部１２０について、説明する。
【００５６】
背景位相変調データ作成部１２０は、背景空間領域条件設定部１２２、逆高速フーリエ変換部１２４、背景周波数領域条件設定部１２６および高速フーリエ変換部１２８を備えて構成されている。
【００５７】
背景位相変調データ作成部１２０の背景空間領域条件設定部１２２は、高速フーリエ変換部１２８でフーリエ変換されて得られた背景の空間領域の複素数サンプリングデータ（以下、これを背景空間領域データという。）の振幅を背景のサンプリングデータの振幅に置き換える機能を有している。このことは、背景空間領域データの振幅に背景のサンプリングデータを与えることを意味している。また、初期値の位相は、ランダム位相（または交互に０、π）を与える。なお、初期値以外の位相は、その変換部１５０から受けた信号の位相を維持するものとする。
【００５８】
背景位相変調データ作成部１２０の逆高速フーリエ変換部１２４は、背景のサンプリングデータが与えられた背景空間領域データに対して、逆高速フーリエ変換を行う機能を有している。
【００５９】
背景位相変調データ作成部１２０の背景周波数領域条件設定部１２６は、逆高速フーリエ変換されて得られた背景の周波数領域の複素数サンプリングデータ（以下、これを背景周波数領域データという。）の振幅を所定の振幅（例えば、振幅＝１）に置き換える機能を有している。以下の説明では、所定の振幅が１である場合の例について説明する。
【００６０】
背景位相変調データ作成部１２０の高速フーリエ変換部１２８は、振幅＝１に置き換えられた背景周波数領域データに対して、高速フーリエ変換を行う機能を有している。
【００６１】
そして、背景位相変調データ作成部１２０の背景空間領域条件設定部１２２は、高速フーリエ変換部１２８で高速フーリエ変換されて得られた背景空間領域データの振幅が、データ分離部１１０から取得した背景のサンプリングデータの振幅と一致するか否かを判定する。なお、この判定は、互いの振幅の誤差があらかじめ設定した目標値（例えば、所定の閾値以内）に到達したか否かの判定で置き換えてもよい。
【００６２】
そして、振幅が設定した目標値（振幅）に到達しない場合には、高速フーリエ変換部１２８から取得した背景空間領域データの振幅を、データ分離部１１０から取得した背景のサンプリングデータの振幅に置き換えて、再び逆高速フーリエ変換部１２４に与える。
【００６３】
一方、振幅が設定した目標値（振幅）に到達した場合には、背景位相変調データ作成部１２０は、背景周波数領域条件設定部１２６で振幅＝１に置き換えられた背景周波数領域データ（位相変調データ）を表示位置調整部１６０に出力する。
【００６４】
ここで、背景周波数領域条件設定部１２６が出力する位相変調データは、背景空間領域条件設定部１２２で取得した背景のサンプリングデータに対応する周波数領域の位相変調データである。例えば、図４の場合では、Ｎ×Ｍで構成された背景のサンプリングデータに対応する周波数領域における複素数の位相変調データである。
【００６５】
なお、背景位相変調データ作成部１２０は、記憶媒体によって構成される背景記憶部Ａ１８０および背景記憶部Ｂ１８５を備えるようにしてもよい。例えば、背景記憶部Ａ１８０は、背景空間領域条件設定部１２２において、高速フーリエ変換されて得られた背景空間領域データの振幅が設定した目標値（振幅）に到達した場合に、その背景空間領域データを記憶する。そして、記憶した背景空間領域データは、背景シルエットデータ抽出部１３５において、背景サンプリングデータを抽出する際に背景のシルエット用サンプリングデータとして読み出される。
【００６６】
一方、背景記憶部Ｂ１８５は、背景位相変調データ作成部１２０において、背景周波数領域条件設定部１２６で振幅＝１に置き換えられた背景周波数領域データ（位相変調データ）を記憶する。そして、記憶された背景周波数領域データ（位相変調データ）は、表示位置調整部１６０において位相を調整する際に、Ｎ×Ｍで構成された背景の位相変調データとして読み出される。
【００６７】
次に、データ作成装置１００の動オブジェクト位相変調データ作成部１４０について、説明する。
【００６８】
動オブジェクト位相変調データ作成部１４０は、動空間領域条件設定部１４２、逆高速フーリエ変換部１４４、動周波数領域条件設定部１４６、加算器１４７−１、１４７−２および高速フーリエ変換部１４８を備えて構成されている。
【００６９】
逆高速フーリエ変換部１４４の入力には、背景シルエットデータｃを逆符号として加算器１４７−２で加算される。これによって背景シルエットデータｃが逆相で表示されるように動周波数領域の位相データに反映される。また、動空間領域条件設定部１４２の入力に加算器１４７−１で加算し（以下、これを動オブジェクト空間領域全データという。）、動オブジェクトデータへの影響を排除する。
【００７０】
また、動空間領域条件設定部１４２は、この動オブジェクト空間領域全データの振幅を動オブジェクトのサンプリングデータの振幅に置き換える機能を有している。これは、動オブジェクト空間領域全データの振幅に動オブジェクトのサンプリングデータの振幅を与えることを意味している。なお、初期値の位相は、ランダム位相（または交互に０、π）を与える。また、初期値以外の位相は、その高速フーリエ変換部１４８から受けた信号の位相を維持するものとする。
【００７１】
動オブジェクト位相変調データ作成部１４０の逆高速フーリエ変換部１４４は、加算器１４７−２から送出された動オブジェクト空間領域差分データに対して、逆高速フーリエ変換を行う機能を有している。
【００７２】
動オブジェクト位相変調データ作成部１４０の動周波数領域条件設定部１４６は、逆高速フーリエ変換されて得られた動オブジェクト周波数領域差分データの振幅を、所定の振幅（例えば、振幅＝１）に置き換える機能を有している。以下の説明では、背景の場合と同様に、所定の振幅が１である場合の例について説明する。
【００７３】
動オブジェクト位相変調データ作成部１４０の高速フーリエ変換部１４８は、振幅＝１に置き換えられた動オブジェクト周波数領域差分データに対して、高速フーリエ変換を行う機能を有している。
【００７４】
ここで、加算器１４７−１は、上述したように、高速フーリエ変換部１４８でフーリエ変換されて得られた動オブジェクト空間領域差分データに背景シルエット領域のサンプリングデータｃを加算（補充）し、動オブジェクト空間領域全データを算出する。
【００７５】
これにより、動空間領域条件設定部１４２は、算出された動オブジェクト空間領域全データの振幅が、データ分離部１１０から取得した動オブジェクトのサンプリングデータの振幅と一致するか否かを判定する。なお、この判定は、背景の場合と同様に、互いの振幅の誤差があらかじめ設定した目標値（例えば、所定の閾値以内）に到達したか否かの判定で置き換えてもよい。
【００７６】
そして、振幅が設定した目標値（振幅）に到達しない場合には、動空間領域条件設定部１４２は、算出した動オブジェクト空間領域全データの振幅を、データ分離部１１０から取得した動オブジェクトのサンプリングデータの振幅に置き換える。そして、加算器１４７−２は、その置き換えた動オブジェクト空間領域全データから、背景シルエットデータｃを差し引いて、再び逆高速フーリエ変換部１２４に与える。
【００７７】
一方、振幅が設定した目標値（振幅）に到達した場合には、動オブジェクト位相変調データ作成部１４０は、動周波数領域条件設定部１４６で振幅＝１に置き換えた動オブジェクト周波数領域差分データ（位相変調データ）を位相空間補間部１５０に出力する。
【００７８】
これにより、位相空間補間部１５０は、動オブジェクト周波数領域差分データを取得して、その動オブジェクト周波数領域差分データを背景の位相変調データと同一の画素数の位相変調データに補間する。
【００７９】
（動画位相変調データ作成処理）
次に、本実施形態に係る計算機ホログラムの再生装置４００において、データ作成装置１００が動画を再生する位相変調データの動画位相変調データ作成処理の動作について、詳細に説明する。
【００８０】
図６は、本実施形態に係る計算機ホログラムのデータ作成装置１００が、原画像データに対して高速フーリエ変換などを行って、動画を再生するための位相変調データを作成する動画位相変調データ作成処理の手順と、動画の再生処理を示したフローチャートである。図６において、Ｓに数字を付した符号は、フローチャートの各ステップを示す。
【００８１】
まず、計算機ホログラムのデータ作成装置１００は、データ分離部１１０において、原画像データ（例えば、Ｎ×Ｍの画素数（サンプル数）で構成される原画像データ）を取得する（ステップＳ００１）。なお、原画像データは、データ作成装置１００が有する記憶媒体に記憶されていてもよく、または、データ作成装置１００の外部から取得されるデータであってもよい。
【００８２】
データ分離部１１０は、取得した原画像データについて、動オブジェクトのサンプリングデータと背景のサンプリングデータに分離する（ステップＳ００３）。例えば、図４に示したように、データ分離部１１０は、Ｎ×Ｍの画素数で構成された原画像データＰ（図３）を、（Ｎ／２）×（Ｍ／２）の画素数で構成された動オブジェクトのサンプリングデータａ（図４（Ａ））と、Ｎ×Ｍの画素数で構成された背景のサンプリングデータｂ（図４（Ｂ））とに分離する。
【００８３】
次に、背景位相変調データ作成部１２０は、分離した背景のサンプリングデータをデータ分離部１１０から取得して、その背景のサンプリングデータに基づいて、背景の位相変調データが未作成か作成済みかを判定する（ステップＳ００５）。
【００８４】
背景位相変調データ作成部１２０は、背景の位相変調データが未作成の場合には（ステップＳ００５のＹＥＳ）、周波数領域における背景の振幅を所定の値に置き換えた背景の位相変調データを作成する（ステップＳ００７）。なお、この位相変調データ作成処理については、背景位相変調データ作成処理として後述することとする。
【００８５】
一方、背景の位相変調データが作成済みの場合には（ステップＳ００５のＮＯ）、ステップＳ００９に移行する。
【００８６】
シルエット領域抽出部１３０は、取得した動オブジェクトのサンプリングデータに基づいて、動オブジェクトのシルエットが示すシルエット領域をフレームごとに抽出する（ステップＳ００９）。
【００８７】
背景シルエットデータ抽出部１３５は、シルエット領域抽出部１３０で抽出したシルエット領域における背景のサンプリングデータを背景シルエットデータとして抽出する（ステップＳ０１１）。
【００８８】
動オブジェクト位相変調データ作成部１４０は、分離した（Ｎ／２）×（Ｍ／２）の画素数（ｎ×ｍの画素数）で構成される動オブジェクトのサンプリングデータから、抽出した背景シルエットデータを差し引くとともに、その背景シルエットデータが差し引かれた動オブジェクトのサンプリングデータを動オブジェクト空間領域差分データとし、周波数領域においてその動オブジェクト空間領域差分データに対応する動オブジェクトの振幅を所定の値に置き換えた動オブジェクト周波数領域差分データ（位相変調データ）を作成する（ステップＳ０１３）。なお、この位相変調データ作成処理については、動オブジェクト位相変調データ作成処理として後述することとする。
【００８９】
位相空間補間部１５０は、作成した（Ｎ／２）×（Ｍ／２）の画素数（ｎ×ｍの画素数）の動オブジェクトの位相変調データを、Ｎ×Ｍの画素数の背景の位相変調データと同一の画素数の位相変調データに補間（アップコンバート）する（ステップＳ０１５）。この場合、位相空間補間部１５０は、位相変調型空間光変調器３１０で背景の位相変調データと動オブジェクトの位相変調データとを駆動するために、動オブジェクトの位相変調データの情報量は少ないものの（画素数がＮ／２×Ｍ／２の画素数の場合には、１／４の情報量となる。）、背景の位相変調データと同一の画素数となるように補間する。
【００９０】
表示位置調整部１６０は、作成した背景の位相変調データおよび補間された動オブジェクトの位相変調データのいずれかに対して位相を付加して、空間領域における表示位置を調整する（ステップＳ０１７）。なお、位相を付加することは、必須の構成要素ではなく、必要に応じて適宜、ユーザが所望する位相を付加することができる。
【００９１】
データ作成装置１００は、ステップＳ００７で作成した背景の位相変調データと、ステップＳ０１５で補間された動オブジェクトの位相変調データとを、動画位相変調データとして位相変調型空間光変調器３１０に送出する。
【００９２】
位相変調型空間光変調器３１０は、作成された背景の位相変調データと、補間された動オブジェクトの位相変調データを取得して、コヒーレント光源３００の位相の揃った平面波光に周波数領域で位相変調を行う。この場合、位相変調型空間光変調器３１０は、Ｎ×Ｍの画素数で構成された背景用の画素領域と、Ｎ×Ｍの画素数で構成された動オブジェクト用の画素領域をそれぞれ駆動する（ステップＳ０１９）。
【００９３】
図７は、位相変調型空間光変調器３１０が駆動する、Ｎ×Ｍの画素数で構成された背景用の画素領域ＳとＮ×Ｍの画素数で構成された動オブジェクト用の画素領域Ｔとを示した説明図である。
【００９４】
図７に示すように、背景用の画素領域Ｓと動オブジェクト用の画素領域Ｔは、Ｎ×Ｍの同一の画素数でそれぞれ駆動されるように構成されている。
【００９５】
フーリエ変換光学レンズ３２０は、位相変調型空間光変調器３１０で位相変調された光に対して光学フーリエ変換を実施して、背景のサンプリングデータと動オブジェクトのサンプリングデータを焦点面３３０に重畳させ、動画を再生させる（ステップＳ０２１）。
【００９６】
データ作成装置１００は、原画像データの次のフレームの入力を受け付けた場合には（ステップＳ０２３のＹＥＳ）、ステップＳ００３に戻り、同一の処理の繰り返す一方、位相変調型空間光変調器３１０で再生していた動画が終了した場合には、本処理を終了する。
【００９７】
以上説明したように、本実施形態に係る計算機ホログラムのデータ作成装置１００は、動画を再生する原画像データを動オブジェクトのサンプリングデータと背景のサンプリングデータとに分離して、各サンプリングデータに対して位相変調データを生成し、それぞれの位相変調データを位相変調型空間光変調器３１０に駆動させる。
【００９８】
本実施形態に係るデータ作成装置１００のデータ分離部１１０では、動オブジェクトの位相変調データのみフレーム毎に作成することができるので、例えば、原画像データが、Ｎ×Ｍの画素数で構成されている場合に、動オブジェクトのサンプリングデータをＮ／２×Ｍ／２の画素数で構成すると、動オブジェクトの画素数は背景の画素数の１／４に削減することができ、全体の演算量をほぼ１／４に削減することができるので、処理の高速化を図ることができる。
【００９９】
次に、図３のフローチャートのステップＳ００３で示した背景位相変調データ作成処理と、ステップＳ００９で示した動オブジェクト位相変調データ作成処理について、それぞれ説明する。
【０１００】
（背景位相変調データ作成処理）
まず、本実施形態に係る計算機ホログラムのデータ作成装置１００において、図６のフローチャートのステップＳ００７で示した背景位相変調データ作成処理の動作について、詳細に説明する。
【０１０１】
図８は、本実施形態に係るデータ作成装置１００の背景位相変調データ作成部１２０（図２）が、背景のサンプリングデータに対して高速フーリエ変換などを行って、背景の位相変調データを作成する背景位相変調データ作成処理の手順を示したフローチャートである。図８において、Ｓに数字を付した符号は、フローチャートの各ステップを示す。
【０１０２】
背景位相変調データ作成部１２０の背景空間領域条件設定部１２２は、データ分離部１１０から背景のサンプリングデータを取得する（ステップＳ１０１）。そして、背景空間領域条件設定部１２２は、背景空間領域データの振幅に背景のサンプリングデータの振幅を与える。また、初期値の位相は、ランダム位相（または交互に０、π）が与えられる(ステップＳ１０３)。
【０１０３】
背景位相変調データ作成部１２０の逆高速フーリエ変換部１２４は、初期値の振幅が与えられた背景空間領域データに対して、逆高速フーリエ変換（ＩＦＦＴ）を実施する（ステップＳ１０５）。
【０１０４】
背景位相変調データ作成部１２０の背景周波数領域条件設定部１２６は、逆高速フーリエ変換されて得られた背景周波数領域データの振幅を所定の振幅（例えば、振幅＝１）に置き換える（ステップＳ１０７）。
【０１０５】
背景位相変調データ作成部１２０の高速フーリエ変換部１２８は、振幅＝１に置き換えられた背景周波数領域データに対して、高速フーリエ変換（ＦＦＴ）を実施する（ステップＳ１０９）。
【０１０６】
そして、背景位相変調データ作成部１２０の背景空間領域条件設定部１２２は、高速フーリエ変換部１２８で高速フーリエ変換されて得られた背景空間領域データの振幅が、データ分離部１１０から取得した背景のサンプリングデータの振幅と一致するか否かを判定する。具体的には、この判定は、互いの振幅の誤差があらかじめ設定した目標値（例えば、所定の閾値以内）に到達したか否かを判定する（ステップＳ１１１）。
【０１０７】
そして、振幅が設定した目標値（振幅）に到達しない場合には(ステップＳ１１１のＮＯ)、ステップＳ１０３に移行し、高速フーリエ変換部１２８から取得した背景空間領域データの振幅をデータ分離部１１０から取得した背景のサンプリングデータの振幅に置き換えて、再び逆高速フーリエ変換部１２４に与える（ステップＳ１０５）。
【０１０８】
一方、振幅が設定した目標値（振幅）に到達した場合には(ステップＳ１１１のＹＥＳ)、背景位相変調データ作成部１２０は、背景空間領域データを背景記憶部Ａ１８０に記憶させるとともに、背景周波数領域条件設定部１２６で振幅＝１に置き換えた背景周波数領域データ（位相変調データ）を背景記憶部Ｂ１８５に記憶させる（ステップＳ１１３）。
【０１０９】
また、背景位相変調データ作成部１２０は、背景記憶部Ｂ１８５に記憶させた位相変調データを表示位置調整部１６０に出力する（ステップＳ１１５）。
【０１１０】
以上説明したように、本実施形態に係るデータ作成装置１００の背景位相変調データ作成部１２０は、反復フーリエ変換法を行うことにより、背景の位相変調データを作成することができる。
【０１１１】
（動オブジェクト位相変調データ作成処理）
次に、本実施形態に係る計算機ホログラムのデータ作成装置１００において、図３のフローチャートのステップＳ０１３で示した動オブジェクト位相変調データ作成処理の動作について、詳細に説明する。
【０１１２】
図９は、本実施形態に係るデータ作成装置１００の動オブジェクト位相変調データ作成部１４０（図２）が、動オブジェクトのサンプリングデータに対して高速フーリエ変換などを行って、動オブジェクトの位相変調データを作成する動オブジェクト位相変調データ作成処理の手順を示したフローチャートである。図９において、Ｓに数字を付した符号は、フローチャートの各ステップを示す。
【０１１３】
動オブジェクト位相変調データ作成部１４０の動空間領域条件設定部１４２は、データ分離部１１０から動オブジェクトのサンプリングデータを取得する（ステップＳ２０１）。次に、動空間領域条件設定部１４２は、初期値の設定として（ステップＳ２０３のＹＥＳ）、動オブジェクト空間領域全データの振幅に動オブジェクトのサンプリングデータの振幅を与える。また、初期値の位相は、ランダム位相（または交互に０、π）が与えられる（ステップＳ２０５）。
【０１１４】
加算器１４７−２は、動オブジェクト空間領域全データ初期設定が行われた動オブジェクト空間領域全データから背景シルエットデータを差し引いて、動オブジェクト空間領域差分データを算出する（ステップＳ２０７）。
【０１１５】
加算器１４７−２は、算出した動オブジェクト空間領域差分データを逆高速フーリエ変換部１４４に送出する。（ステップＳ２０９）。
【０１１６】
ここで、加算器１４７−２から逆高速フーリエ変換部１４４に送出する動オブジェクト空間領域差分データは、次式で示される。
【０１１７】
［数１］
空間領域の目標値＝｜ａ｜・ｅｘｐ（任意位相）−ｃ              ・・・（１）
【０１１８】
なお、｜ａ｜は、動オブジェクトのサンプリングデータの振幅の絶対値を示している。また、ｃは、背景シルエットデータを示している。
【０１１９】
動オブジェクト位相変調データ作成部１４０の逆高速フーリエ変換部１４４は、加算器１４７−２から送出された動オブジェクト空間領域差分データに対して、逆高速フーリエ変換（ＩＦＦＴ）を実施する（ステップＳ２１１）。
【０１２０】
動オブジェクト位相変調データ作成部１４０の動周波数領域条件設定部１４６は、逆高速フーリエ変換されて得られた動オブジェクト周波数領域差分データの振幅を、所定の振幅（例えば、振幅＝１）に置き換える（ステップＳ２１３）。
【０１２１】
動オブジェクト位相変調データ作成部１４０の高速フーリエ変換部１４８は、振幅＝１に置き換えられた動オブジェクト周波数領域差分データに対して、高速フーリエ変換（ＦＦＴ）を実施する（ステップＳ２１５）。
【０１２２】
加算器１４７−１は、高速フーリエ変換部１４８でフーリエ変換されて得られた動オブジェクト空間領域差分データに、背景シルエットデータ抽出部１３５で抽出した背景シルエットデータｃを加算（補充）して、動オブジェクト空間領域全データを算出する（ステップＳ２１７）。
【０１２３】
動空間領域条件設定部１４２は、動オブジェクト空間領域全データを取得すると初期値の設定か否かを判定し（ステップＳ２０３）、加算器１４７−１から動オブジェクト空間領域全データを取得した場合には（ステップＳ２０３のＮＯ）、取得した動オブジェクト空間領域全データの振幅が、データ分離部１１０から取得した動オブジェクトのサンプリングデータの振幅の目標値に到達したか否かを判定する（ステップＳ２１９）。
【０１２４】
そして、振幅が設定した目標値（振幅）に到達しない場合には（ステップＳ２１９のＮＯ）、取得した動オブジェクト空間領域全データの振幅をデータ分離部１１０から取得した動オブジェクトのサンプリングデータの振幅に置き換えて、動オブジェクト空間領域全データの再設定を行う（ステップＳ２２１）。
【０１２５】
そして、ステップＳ２０７に移行して、加算器１４７−２は、動空間領域条件設定部１４２から出力される動オブジェクト空間領域全データから、背景シルエットデータを差し引いて、動オブジェクト空間領域差分データを算出する。
【０１２６】
このように、動オブジェクト位相変調データ作成部１４０では、動空間領域条件設定部１４２において、動オブジェクト空間領域全データの振幅が、ステップＳ２１９で示した動オブジェクトのサンプリングデータの振幅の目標値に到達するまで、同様の処理を繰り返す。
【０１２７】
一方、振幅が設定した目標値（振幅）に到達した場合には（ステップＳ２１９のＹＥＳ）、動オブジェクト位相変調データ作成部１４０は、動周波数領域条件設定部１４６で振幅＝１に置き換えられた（Ｎ／２）×（Ｍ／２）の画素数で構成された動オブジェクト周波数領域差分データ（位相変調データ）を位相空間補間部１５０に送出する（ステップＳ２２３）。
【０１２８】
以上説明したように、本実施形態に係る計算機ホログラムのデータ作成装置１００の動オブジェクト位相変調データ作成部１４０は、動オブジェクト空間領域全データの振幅が、動オブジェクトのサンプリングデータの振幅の目標値に到達したとき、動オブジェクト周波数領域差分データ（位相変調データ）を送出する。
【０１２９】
これにより、本実施形態に係る計算機ホログラムのデータ作成装置１００は、背景位相変調データ作成部１２０で作成された背景の位相変調データと、動オブジェクト位相変調データ作成部１４０で作成された動オブジェクトの位相変調データと基づいて、位相変調型空間光変調器３１０に光の位相変調を行わせることができるので、原画像データの再生像を重畳再生させることができる。
【０１３０】
また、動オブジェクト位相変調データ作成部１４０は、動オブジェクトのサンプリングデータから背景シルエットデータを差し引いているので、動オブジェクトの位相変調データと背景の位相変調データを重畳再生しても画素値が合成されることなく、原画像データの動画を再生することができる。
【０１３１】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１３２】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【符号の説明】
【０１３３】
１００  データ作成装置
１１０  データ分離部
１２０  背景位相変調データ作成部
１２２  背景空間領域条件設定部
１２４  逆高速フーリエ変換部
１２６  背景周波数領域条件設定部
１２８  高速フーリエ変換部
１３０  シルエット領域抽出部
１３５  背景シルエットデータ抽出部
１４０  動オブジェクト位相変調データ作成部
１４２  動空間領域条件設定部
１４４  逆高速フーリエ変換部
１４６  動周波数領域条件設定部
１４７−１、１４７−２  加算器
１４８  高速フーリエ変換部
１５０  位相空間補間部
１６０  表示位置調整部
１８０  背景記憶部Ａ
１８５  背景記憶部Ｂ
３００  コヒーレント光源
３０１  レーザ
３０２  光学レンズ
３１０  位相変調型空間光変調器
３２０  フーリエ変換光学レンズ
３３０  焦点面
４００  再生装置
【図１】
2014215547.tif 000003
【図２】
2014215547.tif 000004
【図３】
2014215547.tif 000005
【図４】
2014215547.tif 000006
【図５】
2014215547.tif 000007
【図６】
2014215547.tif 000008
【図７】
2014215547.tif 000009
【図８】
2014215547.tif 000010
【図９】
2014215547.tif 000011